(57)【特許請求の範囲】
【請求項１】
両端にそれぞれ金具を有する消防用ホースの暴れ防止装置であって、
前記消防用ホース内に配置されるロープと、
前記ロープの両端に設けられる一対の係止具と、
からなり、
前記係止具が、端部が重なり合うＣ型のリングであり、
一方の前記端部が拡張斜面上部を、他方の前記端部が拡張斜面下部を構成し、
前記拡張斜面上部と前記拡張斜面下部との密着により、前記リングを拡径することで、前記係止具を前記金具に固着させて用いることを特徴とする消防用ホースの暴れ防止装置。
【請求項２】
前記消防用ホースが、加圧流体又は加圧気体に用いられることを特徴とする請求項１に記載の消防用ホースの暴れ防止装置。
【請求項３】
前記リングが、前記金具の内径より大きい外径であり、前記金具の内径より小さい内径で構成され、前記リングには前記ロープを通すロープ孔を備えていることを特徴とする請求項１又は請求項２に記載の消防用ホースの暴れ防止装置。
【請求項４】
前記拡張斜面上部にねじを通す貫通孔を設け、前記拡張斜面下部に前記ねじがねじ込められるメネジ孔を有することを特徴とする請求項１から請求項３のいずれかに記載の消防用ホースの暴れ防止装置。
【請求項５】
前記拡張斜面上部に前記ロープ孔を設けることを特徴とする請求項３に記載の消防用ホースの暴れ防止装置。
【請求項６】
前記リングを、前記金具と同じ材質としたことを特徴とする請求項１から請求項５のいずれかに記載の消防用ホースの暴れ防止装置。
【請求項７】
前記ロープ孔を、前記リングの軸から離れた位置に設けることを特徴とする請求項３又は請求項５に記載の消防用ホースの暴れ防止装置。
【請求項８】
前記ロープの材質を、高分子材料とすることを特徴とする請求項１から請求項７のいずれかに記載の消防用ホースの暴れ防止装置。
【請求項９】
前記高分子材料として、パラ系アラミド繊維、ポリエチレン繊維、ポリアリレート繊維、ＰＢＯ（ポリパラフェニレンベンズオキサゾール）繊維、炭素繊維、メタ系アラミド繊維、ＰＰＳ（ポリフェニレンサルファイド）繊維、ポリイミド繊維、及びフッ素繊維のいずれかを少なくとも含むことを特徴とする請求項８に記載の消防用ホースの暴れ防止装置。
【発明の詳細な説明】
【技術分野】
【０００１】
本発明は、消防用ホースの破断による危険を回避するための暴れ防止装置に関する。
【背景技術】
【０００２】
消防隊による消火活動において、消防車から火点まで消防用ホースを延長し、消火剤を確実に送る必要がある。
つまり、消防用ホースと消防車の吐出口、消防用ホースと放水ノズル、および、消防用ホース同士は結合金具によって連結され、そして、消防車からの加圧された水または泡がそれらを通って、放水ノズルに送られ、消火などのために放出される。
【０００３】
消防用ホースは、消防法の規定に基づき、消防用ホースの技術上の規格を定める省令により定められており、消防用ゴム引きホース、消防用麻ホース、消防用濡れホース、消防用保形ホース及び大容量泡放水砲用ホースに区分される。
消防用ゴム引きホースとは、ジャケットにゴムまたは合成樹脂の内張りを施した消防用ホースをいう。消防用麻ホースとは、麻糸に織られた消防用ホースをいう。消防用濡れホースとは、水流によりホース全体が均一に濡れる消防用ホースをいう。消防用保形ホースとは、ホースの断面が常時円形に保たれる消防用ホースをいう。大容量泡放水砲用ホースとは、石油コンビナート等災害防止法施行令に規定する大容量泡放水砲用防災資器材としての用途にのみ用いられる消防用ホースをいう。
【０００４】
消防車に使用される消防用ホースは、消防用ゴム引きホースが主流である。消防用ゴム引きホースもジャケット種やホースの加工方法等により種類がある。全合繊ジャケットホースや天然繊維ジャケットホースならびに、コーティッドホースやカバードホースなどの表面加工したゴム引きホースと、ダブルジャケットホースなどが挙げられるが、図５に示すように、構造上基本的にジャケット、ライニング、コーティングの３つの要素から構成されている。
図５（ａ）はホースの要部横断面図、図５（ｂ）はホースの要部縦断面図である。
ジャケット１０１は、ホースの本体となる繊維製の円筒状織物で、内部の圧力を耐える役目を果す横糸１０２と長さ方向の強度を保つ縦糸１０３からなる。ライニング１０４は、ジャケット１０１の裏面に貼り付け、漏水防止の役目を果すゴム張りの部分であり、コーティング１０５は、ジャケット１０１の摩耗や劣化を防ぎ、吸水を減らす目的で、ゴムまたはプラスチックスでホースの表面を覆う部分である。
また、消防用ホース同士を繋ぐ結合金具のほとんどは、日本においては、町野式と呼ばれた差込式の結合金具である。
【０００５】
ジャケット１０１は繊維製の円筒状織物なので、軽量で柔軟であり、取り扱いやすい。一方、良好な操作性を持つ反面、消火活動中、ホースが地面の鋭利な突起物にぶつかったり、建物から落下したガラス片などに刺さったりすることによって、ホースが破断することも少なくはない。
【０００６】
一方、近年、水と泡の放射が簡単に切り替えられ、Ａ火災とＢ火災を効率よく対応できる圧縮空気泡消火システム（ＣＡＦＳ）を搭載する消防車が増えている。ＣＡＦＳ車は従来のポンプ車よりさまざまな火災に対応でき、効率よく消火できる反面、圧縮空気泡を使用しているため、加圧の状態でホースが破裂した場合では、高いエネルギーを持つ圧縮空気の噴出でホースが完全に断裂されることも考えられる。そうなると、ホースが大きく暴れ、周囲の人に危害を加える恐れがある。
従って、圧縮空気泡の放射や、排煙用の圧縮エアーの放射に使われる消防用ホースにおいては、特にホースの断裂時の対策が重要である。
【０００７】
特許文献１は、一種類の送水ホースの暴れ防止装置を提示したが、その対象は大容量泡放水砲に使われた大流量の送水ホースであり、また、ホースの断裂による暴れを想定しなかった。
【先行技術文献】
【特許文献】
【０００８】
【特許文献１】特開２００７−２７０８７０号公報
【発明の概要】
【発明が解決しようとする課題】
【０００９】
ホースの断裂による暴れを防止する根本的な方法は、ホースの断裂を防止することである。例えば、ホースの製造段階から、ホースの縦糸に強度の強い繊維を使用するなどの対策を採ることが挙げられる。しかし、ＣＡＦＳ車に使われている既存の消防用ホースをすべて強度の強いホースに取り替えることは、自治体消防にとっては膨大な財政負担となるため、現実的な対策とは言えない。経済的な方法で現行のホースを強化し、ジャケットが断裂しても、ホースが大きく暴れない対策が求められている。
【００１０】
そこで本発明は、圧縮空気泡の輸送に使われる既存の消防用ホースを買い替えることなく、低コストで断裂時のホース暴れを防止し、周囲に与える危険を最小限に抑える消防ホースの暴れ防止装置を提供する。
【課題を解決するための手段】
【００１１】
上記の課題を解決するために創案された本発明の消防用ホースの暴れ防止装置は、両端にそれぞれ金具を有し、消防用ホース内に配置されるロープと、ロープの両端に設けられる一対の係止具と、からなり、係止具が、端部が重なり合うＣ型のリングであり、一方の端部が拡張斜面上部を、他方の端部が拡張斜面下部を構成し、拡張斜面上部と拡張斜面下部との密着により、リングを拡径することで、係止具を金具に固着させて用いることを特徴とする。
【発明の効果】
【００１２】
本発明に係る消防用ホースの暴れ防止装置によれば、既存のＣＡＦＳ車に使用される消防用ホースを買い替えることなく、低コストでホース断裂時の暴れを抑えることができる。
【図面の簡単な説明】
【００１３】
【図１】本発明の一実施形態に係る消防用ホースの暴れ防止装置を模式的に示す図
【図２】同消防用ホースの暴れ防止装置の断面図
【図３】拡張リングの構造を示す図
【図４】拡張リングの装着状態を示す図
【図５】一般の消防用ホースの構造を模式的に示す要部断面図
【発明を実施するための形態】
【００１４】
以下、本発明の実施の形態を図面に基づいて説明する。
【００１５】
図１は、消防用ホースの暴れ防止装置を模式的に示す。図１に示すように、消防用ホース１の差し金具２と受け金具３の内周面に、消防用ホース１の中を通すロープ４で繋いだ係止具（リング）５をそれぞれ嵌め込んで固定する。消防用ホース１のジャケットが破裂し、圧縮空気の噴き出しにより断裂に至った場合、ロープ４に引っ張られるため、大きく暴れることがない。よって、周囲に与える危険が低減できる。
【００１６】
図２は、同消防用ホースの暴れ防止装置の断面図を示す。差し金具２と受け金具３の内径が同じ寸法であり、また、相互に隙間がほとんどないため、段差によるリング５の固定はできない。
また、すでに消防用ホース１のジャケットと一体化された差し金具２と受け金具３（以下、金具）に対して、消防署などの現場での機械加工が困難であるため、金具２、３に金属加工を実施せず、現場でも簡単に装着できるリング５が望ましい。
なお、本実施の形態では、消防用ホース１の両端には、金具２、３を有するもので説明するが、金具は放水ノズルであってもよい。
【００１７】
図３は、金具２、３を再加工せず、現場でも簡単に取り付けられる拡張式の係止具（リング）５を示す。自己拡張性を持つリング５は、拡張斜面上部５２と拡張斜面下部５３との上下二つの斜面を持つC形の構造で、上下二つの斜面のねじりにより、装着前、リング５の外径は金具２、３の内径よりやや小さくなるように製造できる。また、拡張斜面上部５２にねじを通す貫通孔５１とロープ孔６を設け、拡張斜面下部５３にメネジ孔５４を加工する。
【００１８】
図４は、リングの装着状態を示す。リング５を金具２、３の内孔に入れてから、拡張ねじ５５を、拡張斜面上部５２にある貫通孔５１を通して、拡張斜面下部５３にあるメネジ孔５４にねじり込み、拡張斜面上部５２と拡張斜面下部５３を密着させる。そうすることにより、リング５が円周方向に延び、直径が大きくなる。よって、金具２、３の内径に密着する。
【００１９】
そのほかに、リング５の外径を金具２、３の内径よりやや大きく加工する。リング５を嵌め込む際、金具２、３を加熱する。また、リング５を冷却してから嵌め込む方法も考えられる。
また、ロープ孔６の位置はリング５の軸線上ではなく、円周寄りの位置に設けることが望ましい。それによって、リング５がロープ４に引っ張られた時、非対称の力により、リング５がより強く金具２、３に固着することができる。
異種金属間の電蝕を避けるため、リング５は金具２、３と同じ材質の使用が望ましい。
【００２０】
また、耐酸性と耐アルカリ性および電蝕防止の観点から、ロープ４の材質は高分子材料を使用することが望ましい。例えば、アラミド繊維（ケプラ）、ＰＢＯ（ポリパラフェニレンベンズオキサゾール）繊維（ザイロン）、超高強力ポリエチレン繊維（ダイニーマ）などを使用する。
また、高強度と高弾性率の観点から、パラ系アラミド繊維、ポリエチレン繊維、ポリアリレート繊維、ＰＢＯ（ポリパラフェニレンベンズオキサゾール）繊維、炭素繊維を、高耐熱性の観点から、メタ系アラミド繊維、ＰＰＳ（ポリフェニレンサルファイド）繊維、ポリイミド繊維、フッ素繊維を、不燃性の観点からガラス繊維などを使用する
【００２１】
以上、本発明の一実施形態に係る消防用ホース１の暴れ防止装置について説明を行ったが、リング５の設置方法には種々の変更を施すことが可能である。例えば、上記に示した実施形態では、リング５の外径は金具２、３の内径より数十μm程度大きくなるように加工し、温度差で金具２、３に嵌め込む（焼バメ）方法を採っているが、金具２、３の内面とリング５の外面にねじ加工を施し、ねじり込むこともできる。
【実施例】
【００２２】
既存の消防用ホース１の金具２、３に、外径５７．０２〜５７．０７ｍｍに加工したリング５を焼バメの方法で嵌め合い、その消防用ホース１内に太さ１．５ｍｍ程度、断面積として約７ｍｍ２のザイロン材質のロープ４を通して、それぞれの金具２、３に嵌め合ったリング５のロープ孔６につながる。ザイロンの引張強さは５．８Ｇｐａを有し、太さ１．５ｍｍほどのロープ４は約４０００ｋｇの引っ張る力に耐えられる。よって、消防用ホース１は破損し、圧縮空気泡、または空気の噴出しで消防用ホース１が断裂しても、消防用ホース１内を通すロープ４に抑えられ、大きく暴れることがなく、消防用ホース１の断裂による危険を低減できる。
【産業上の利用可能性】
【００２３】
本発明は、既存の消防用ホースに用いることができる消防用ホースの暴れ防止装置であり、特に圧縮空気泡の放射や、排煙用の圧縮エアーの放射に使われる消防用ホースに適している。
【符号の説明】
【００２４】
１    消防用ホース
２    差し金具
３    受け金具
４    ロープ
５    係止具（リング）
６    ロープ孔
５１    貫通孔
５２    拡張斜面上部
５３    拡張斜面下部
５４    メネジ孔
５５    拡張ネジ
【図１】
0005889556.tif 000002
【図２】
0005889556.tif 000003
【図３】
0005889556.tif 000004
【図４】
0005889556.tif 000005
【図５】
0005889556.tif 000006